(57)【要約】【課題】家具本体の荷重による接床部材の破損を防止できて、耐久性を向上させることができる家具用脚を提供する。【解決手段】本発明は、筒状脚本体１０と、その脚本体１０の上端に固定された固着ボルト２０と、脚本体１０の下端に設けられる接床部材３０とを備える家具用脚を対象とする。接床部材３０は、下端が設置面に接地される接地部３１と、接地部３１の上側に設けられた嵌合部３２と、嵌合部３２の下端外周に設けられた係合段部３３とを有する。係合段部３３が、脚本体１０の下端開口縁部１１に係合された状態で、嵌合部３２が脚本体１０の下端内部に嵌合固定される。接床部材３０における嵌合部３２の上端に、上端面が固着ボルト２０に接合される支持部材４１が一体に形成され、支持部材４１を介して、固着ボルト２０に加わる家具本体Ｃの荷重の一部が、嵌合部３２に支持されるよう構成されている。【選択図】      図１
2004154287.tif 000002
【特許請求の範囲】
【請求項１】
筒状の脚本体と、その脚本体の上端に設けられ、かつ家具本体に固定される固着具と、前記脚本体の下端に設けられる接床部材とを備える家具用脚であって、
前記接床部材は、下端が設置面に接地される接地部と、その接地部の上側に設けられた嵌合部と、前記嵌合部の下端周縁に設けられた係合段部とを有し、前記係合段部が、前記脚本体の下端開口縁部に係合された状態で、前記嵌合部が前記脚本体の下端部に嵌合固定されてなり、
前記脚本体の内部における前記固着具と前記接床部材との間に、前記固着具に加わる家具本体の荷重の少なくとも一部を、前記接床部材の内周部に支持させるための支持部材が介在されてなることを特徴とする家具用脚。
【請求項２】
筒状の脚本体と、その脚本体の上端に設けられ、かつ家具本体に固定される固着具と、前記脚本体の下端に設けられる接床部材とを備える家具用脚であって、
前記接床部材は、下端が設置面に接地される接地部と、その接地部の上側に設けられ、かつ外径が前記脚本体の下端内径よりも小さく設定された嵌合部と、前記嵌合部の下端外周に設けられる係合段部とを有し、前記係合段部が、前記脚本体の下端開口縁部に係合された状態で、前記嵌合部が前記脚本体の下端内部に嵌合固定されてなり、
前記接床部材における嵌合部の上端に、上端面が前記固着具に接合される支持部材が形成され、その支持部材を介して、前記固着具に加わる家具本体の荷重の少なくとも一部が、前記嵌合部に支持されるよう構成されてなる特徴とする家具用脚。
【請求項３】
上端開口に閉塞板が設けられた筒状の脚本体と、前記閉塞板に上方突出状に貫通固定され、その上方突出部が家具本体に固定される固着具と、前記脚本体の下端に設けられる接床部材とを備える家具用脚であって、
前記接床部材は、下端が設置面に接地される接地部と、その接地部の上側に設けられ、かつ外径が前記脚本体の下端内径よりも小さく設定された嵌合部と、前記嵌合部の下端外周に設けられる係合段部とを有し、前記係合段部が、前記脚本体の下端開口縁部に係合された状態で、前記嵌合部が前記脚本体の下端内部に嵌合固定されてなり、
前記固着具が、その下端が前記嵌合部の上端面に接合されるように下方に延設されて支持部材が形成され、その支持部材を介して、前記固着具に加わる家具本体の荷重の少なくとも一部が、前記嵌合部に支持されるよう構成されてなることを特徴とする家具用脚。
【請求項４】
筒状の脚本体と、その脚本体の上端に設けられ、かつ家具本体に固定される固着具と、前記脚本体の下端に設けられる接床部材とを備える家具用脚であって、
前記接床部材は、下端が設置面に接地される接地部と、その接地部の上側に設けられ、かつ外径が前記脚本体の下端内径よりも小さく設定された嵌合部と、前記嵌合部の下端外周に設けられる係合段部とを有し、前記係合段部が、前記脚本体の下端開口縁部に係合された状態で、前記嵌合部が前記脚本体の下端内部に嵌合固定されてなり、
前記脚本体の内周に、前記嵌合部の上端面に接合する支持部材が固定され、前記脚本体及び前記支持部材を介して、前記固着具に加わる家具本体の荷重の少なくとも一部が、前記嵌合部に支持されるよう構成されてなることを特徴とする家具用脚。
【請求項５】
前記接床部材が、その接地部、嵌合部及び係合段部を一体に有する木質材をもって形成されてなる請求項１ないし４のいずれかに記載の家具用脚。
【発明の詳細な説明】
【０００１】
【発明の属する技術分野】
この発明は、椅子やテーブル等の家具類の下端に設けられる家具用脚に関する。
【０００２】
【従来の技術】
椅子等の家庭用家具類の脚部としては、例えば下記特許文献１、２等に示すものが周知である。
【０００３】
このような家具用脚の中でも、例えば図５に示すものは、上端開口に閉塞板（１ａ）が固定された筒状の脚本体（１）と、その脚本体（１）の上端閉塞板（１ａ）に上向きに貫通固定された固着ボルト（２）と、脚本体（１）の下端に設けられる接床部材（３）とを備えている。
【０００４】
更に接床部材（３）は、下端が設置面に接地される接地部（３ａ）と、その接地部（３ａ）の上側に設けられ、かつ外径が脚本体（１）の下端内径よりも小さく設定された嵌合部（３ｂ）と、嵌合部（３ｂ）の下端外周に設けられる係合段部（３ｃ）とを有し、係合段部（３ｃ）が、脚本体（１）の下端開口縁部に係合された状態で、嵌合部（３ｂ）が脚本体（１）の下端内部に嵌合固定されている。
【０００５】
そして、固着ボルト（２）が家具本体の下面にねじ止め固定されて、家具用脚として構成されるものである。
【０００６】
【特許文献１】
特開２００２−５１８６８号
【０００７】
【特許文献２】
特開２００２−１３６３６９号
【０００８】
【発明が解決しようとする課題】
上記従来の家具用脚は、例えば脚本体（１）が金属により構成され、接床部材（３）は木質材により構成されているが、この家具用脚において、接床部材（３）に加わる家具本体の荷重は、脚本体（１）を介して、接床部材（３）の係合段部（３ｃ）に部分的に集中するため、その荷重に十分に耐えきれず、長期間使用しているうちに、図６に示すように係合段部（３ｃ）にひび割れ（４）が生じて欠損し、接床部材（３）が破損してしまうという問題が発生する。
【０００９】
この発明は、上記従来技術の問題を解消し、家具本体の荷重を有効に受け止めることができ、その荷重による接床部材の破損を防止できて、耐久性を向上させることができる家具用脚を提供することを目的とする。
【００１０】
【課題を解決するための手段】
上記目的を達成するため、本発明は、筒状の脚本体と、その脚本体の上端に設けられ、かつ家具本体に固定される固着具と、前記脚本体の下端に設けられる接床部材とを備える家具用脚であって、前記接床部材は、下端が設置面に接地される接地部と、その接地部の上側に設けられた嵌合部と、前記嵌合部の下端周縁に設けられた係合段部とを有し、前記係合段部が、前記脚本体の下端開口縁部に係合された状態で、前記嵌合部が前記脚本体の下端部に嵌合固定されてなり、前記脚本体の内部における前記固着具と前記接床部材との間に、前記固着具に加わる家具本体の荷重の少なくとも一部を、前記接床部材の内周部に支持させるための支持部材が介在されてなるものを要旨としている。
【００１１】
この発明の家具用脚においては、脚本体の下端部に嵌合される接床部材と、脚本体の上端に設けられる固着具との間に支持部材を介在するものであるため、接床部材に加わる家具本体の荷重は、固着具及び脚本体を介して、接床部材における外周部の係合段部により支持されると同時に、固着具及び支持部材を介して、接床部材における内周部によっても支持される。このように家具本体の荷重を、接床部材における外周部及び内周部の広い範囲で分散して支持することができ、家具本体の荷重が局部的に集中するのを有効に防止することができる。
【００１２】
本発明においては、下記第１ないし第３形態を好適に採用することができる。
【００１３】
すなわち本発明の第１形態は、筒状の脚本体と、その脚本体の上端に設けられ、かつ家具本体に固定される固着具と、前記脚本体の下端に設けられる接床部材とを備える家具用脚であって、前記接床部材は、下端が設置面に接地される接地部と、その接地部の上側に設けられ、かつ外径が前記脚本体の下端内径よりも小さく設定された嵌合部と、前記嵌合部の下端外周に設けられる係合段部とを有し、前記係合段部が、前記脚本体の下端開口縁部に係合された状態で、前記嵌合部が前記脚本体の下端内部に嵌合固定されてなり、前記接床部材における嵌合部の上端に、上端面が前記固着具に接合される支持部材が形成され、その支持部材を介して、前記固着具に加わる家具本体の荷重の少なくとも一部が、前記嵌合部に支持されるよう構成されてなるものを要旨としている。
【００１４】
また本発明の第２形態は、上端開口に閉塞板が設けられた筒状の脚本体と、前記閉塞板に上方突出状に貫通固定され、その上方突出部が家具本体に固定される固着具と、前記脚本体の下端に設けられる接床部材とを備える家具用脚であって、前記接床部材は、下端が設置面に接地される接地部と、その接地部の上側に設けられ、かつ外径が前記脚本体の下端内径よりも小さく設定された嵌合部と、前記嵌合部の下端外周に設けられる係合段部とを有し、前記係合段部が、前記脚本体の下端開口縁部に係合された状態で、前記嵌合部が前記脚本体の下端内部に嵌合固定されてなり、前記固着具が、その下端が前記嵌合部の上端面に接合されるように下方に延設されて支持部材が形成され、その支持部材を介して、前記固着具に加わる家具本体の荷重の少なくとも一部が、前記嵌合部に支持されるよう構成されてなるものを要旨としている。
【００１５】
更に本発明の第３形態は、筒状の脚本体と、その脚本体の上端に設けられ、かつ家具本体に固定される固着具と、前記脚本体の下端に設けられる接床部材とを備える家具用脚であって、前記接床部材は、下端が設置面に接地される接地部と、その接地部の上側に設けられ、かつ外径が前記脚本体の下端内径よりも小さく設定された嵌合部と、前記嵌合部の下端外周に設けられる係合段部とを有し、前記係合段部が、前記脚本体の下端開口縁部に係合された状態で、前記嵌合部が前記脚本体の下端内部に嵌合固定されてなり、前記脚本体の内周に、前記嵌合部の上端面に接合する支持部材が固定され、前記脚本体及び前記支持部材を介して、前記固着具に加わる家具本体の荷重の少なくとも一部が、前記嵌合部に支持されるよう構成されてなるものを要旨としている。
【００１６】
また本発明においては、前記接床部材が、その接地部、嵌合部及び係合段部を一体に有する木質材をもって形成されてなる構成を採用することも可能である。
【００１７】
【発明の実施の形態】
図１及び図２はこの発明の第１実施形態である家具用脚を示す断面図である。同図に示すように、この家具用脚は、脚本体（１０）と、固着具としての固着ボルト（２０）と、接床部材（３０）とを基本的な構成として備えている。
【００１８】
脚本体（１０）は、上下両端が開放された円筒形の金属製品によって構成されている。更にこの脚本体（１０）の上端には、上端開口を閉塞するようにして、金属製品からなる円板状の閉塞板（１５）がろう付け溶接により固定されている。
【００１９】
固着ボルト（２０）は、閉塞板（１５）の中心位置に下方から貫通されて、頭部（２１）が閉塞板（１５）の下面側に係合されるとともに、軸部（２２）が軸心方向に沿って閉塞板（１５）の上方に突出した状態で、閉塞板（１５）にろう付け溶接により固定されている。
【００２０】
接床部材（３０）は、木質材の一体成形品により構成されており、下端面が床面（Ｆ）等の設置面に接地される円柱状の接地部（３１）と、接地部（３１）の上端に同心軸上に設けられた円柱状の嵌合部（３２）とを有している。
【００２１】
嵌合部（３２）は、その外径が脚本体（１０）の内径よりも小さくて、脚本体（１０）の内部に適合状態に嵌合できるよう構成されている。
【００２２】
また接地部（３１）は、その外径が脚本体（１０）の外径とほぼ等しい大きさに形成されており、接地部（３１）の上端外周、換言すれば嵌合部（３２）の下端外周に、周方向に沿って連続して係合段部（３３）が形成されている。
【００２３】
更に嵌合部（３３）は、その係合段部（３３）からの高さが、脚本体（１０）における下端開口縁部（１１）と固着ボルト（２０）の頭部下面との間の寸法に対応して形成されている。
【００２４】
ここで、本実施形態においては、嵌合部（３２）の上部が支持部材（４１）を構成するものである。
【００２５】
この構成の接床部材（３０）は、その嵌合部（３２）が脚本体（１０）の下端開口から嵌合されて、係合段部（３３）が脚本体（１０）の下端開口縁部（１１）に係合された状態で、接着剤（図示省略）等を介して脚本体（１０）の内周面に固定されている。
【００２６】
この接床部材嵌込み状態においては、係合段部（３３）が脚本体（１０）の下端開口縁部（１１）に接合配置される上更に、嵌合部（３２）の上端面が固着ボルト（２０）の頭部（２１）に接合配置されている。
【００２７】
この家具用脚を、家具本体（Ｃ）に組み付ける場合には、固着ボルト（２０）の軸部（２２）を、家具本体（Ｃ）の下端面に設けられたナット等の雌ねじ部（図示省略）にねじ込んで固定するものである。
【００２８】
この家具用脚において、接床部材（３０）に加わる家具本体（Ｃ）の荷重は、固着ボルト（２０）、閉塞板（１５）及び脚本体（１０）を介して、接床部材（３０）における外周部の係合段部（３３）により支持されると同時に、固着ボルト（２１）を介して、接床部材（３０）における中央部（内周部）の嵌合部（３２）の上端面によっても支持される。つまり、家具本体（Ｃ）の荷重を、接床部材（３０）における外周部及び内周部のほぼ全域で分散して支持することができるため、家具本体（Ｃ）の荷重が局部的に集中するのを防止することができる。従って、集中荷重による接床部材（３０）の破損を有効に防止することができ、耐久性を向上させることができる。
【００２９】
図３（ａ）はこの発明の第２実施形態である家具用脚を示す断面図である。同図に示すようにこの家具用脚は、脚本体（１０）の内部において、閉塞板（１５）の中央下面側に、軸心方向に沿って延びる金属製スリーブ（４２ａ）がろう付け溶接により固定されている。更に固着ボルト（２０）は、その軸部（２２）の長さが長いものが用いられ、この固着ボルト（２０）が、スリーブ（４２ａ）に下方側から挿通されて閉塞板（１５）の中心位置に貫通されて、頭部（２１）がスリーブ（４２ａ）の下端開口縁部に係合されるとともに、軸部（２２）の上側部が軸心方向に沿って閉塞板（１５）の上方に突出した状態でろう付け溶接により固定されている。
【００３０】
また接床部材（３０）は、上記図１及び図２に示す第１実施形態の接床部材（３０）と比較した場合、その嵌合部（３２）の軸心方向の長さが短く形成されている。更に嵌合部（３２）の外周には周溝（３５）が形成されるとともに、その周溝（３５）にオーリング（３６）が収容されている。
【００３１】
そしてこの構成の接床部材（３０）は、その嵌合部（３２）が脚本体（１０）の下端開口から嵌合されて、係合段部（３３）が脚本体（１０）の下端開口縁部（１１）に係合された状態で、オーリング（３６）によって脚本体（１０）の内周面に固定されている。
【００３２】
この接床部材嵌込み状態においては、係合段部（３３）が脚本体（１０）の下端開口縁部（１１）に接合配置される上更に、嵌合部（３２）の上端面が固着ボルト（２０）の頭部（２１）に接合配置されている。
【００３３】
ここで本実施形態においては、固着ボルト（２０）の下側部及びスリーブ（４２ａ）によって支持部材（４２）が構成されている。
【００３４】
その他の構成は、上記第１実施形態と実質的に同様であるため、同一又は相当部分に同一符号を付して、重複説明は省略する。
【００３５】
この家具用脚においては、接床部材（３０）に加わる家具本体（Ｃ）の荷重は、固着ボルト（２０）、閉塞板（１５）及び脚本体（１０）を介して、接床部材（３０）における外周部の係合段部（３３）により支持されると同時に、固着ボルト（２０）及びスリーブ（４１ａ）を介して、接床部材（３０）における内周部の嵌合部（３２）の上端面によっても支持される。つまり、家具本体（Ｃ）の荷重を、接床部材（３０）における外周部及び内周部のほぼ全域で分散して支持することができるため、家具本体（Ｃ）の荷重が局部的に集中するのを防止することができる。従って、集中荷重による接床部材（３０）の破損を有効に防止することができ、耐久性を向上させることができる。
【００３６】
図３（ｂ）はこの発明の第３実施形態である家具用脚を示す断面図である。同図に示すように、この家具用脚における脚本体（１０）の内周面下部には、金属製品からなる円板状の支持部材（４３）がろう付け溶接により固定されている。更に接床部材（３０）は、その嵌合部（３２）が脚本体（１０）の下端開口から嵌合されて、係合段部（３３）が脚本体（１０）の下端開口縁部（１１）に係合された状態で、脚本体（１０）の内周面に固定されている。
【００３７】
この接床部材嵌込み状態においては、係合段部（３３）が脚本体（１０）の下端開口縁部（１１）に接合配置される上更に、嵌合部（３２）の上端面が支持部材（４３）の下面に接合配置されている。
【００３８】
その他の構成は、上記第１及び第２実施形態と実質的に同様であるため、同一又は相当部分に同一符号を付して、重複説明は省略する。
【００３９】
この家具用脚においては、接床部材（３０）に加わる家具本体（Ｃ）の荷重は、固着ボルト（２０）、閉塞板（１５）及び脚本体（１０）を介して、接床部材（３０）における外周部の係合段部（３３）により支持されると同時に、固着ボルト（２０）、閉塞板（１５）、脚本体（１０）及び支持部材（４３）を介して、接床部材（３０）における内周部の嵌合部（３２）の上端面によっても支持される。このように家具本体（Ｃ）の荷重を、接床部材（３０）における外周部及び内周部のほぼ全域で分散して支持することができるため、家具本体（Ｃ）の荷重が局部的に集中するのを防止することができる。従って、集中荷重による接床部材（３０）の破損を有効に防止することができ、耐久性を向上させることができる。
【００４０】
なお、上記各実施形態においては、脚本体（１０）として、円柱状のものを用いているが、本発明はそれだけに限られず、例えば多角柱形状や、楕円柱形状等他の形状のものを用いるようにしても良く、同様に、接床部材（３０）の接地部（３１）も、多角柱形状や、楕円柱形状等の他の形状のものを用いても良い。
【００４１】
また接床部材（３０）の接地部（３１）は、必ずしも柱状のものを用いる必要はなく、図４（ａ）に示すように、接地部（３１）が円錐台形状の接床部材（３０）や、図４（ｂ）に示すように、接地部（３１）が逆円錐台形状の接床部材（３０）を用いるようにしても良い。
【００４２】
更に接床部材（３０）における接地部（３１）の外観形状は、脚本体（１０）の外観形状に必ずしも対応させる必要はなく、例えば脚本体（１０）を円柱状に形成し、接地部（３１）を角柱状に形成しても良く、逆に脚本体（１０）を角柱状に形成し、接地部（３１）を円柱状に形成しても良い。
【００４３】
また本発明においては、接床部材（３０）としては、必ずしも木質製のものを用いる必要はなく、天然ゴム、合成ゴム、天然樹脂、合成樹脂等の他の材質のものを用いても良い。
【００４４】
更に本発明においては、固着具として、固着ボルト（２０）以外の他の固着手段を用いるようにしても良い。
【００４５】
【発明の効果】
以上のように、本発明の家具用脚によれば、脚本体の下端部に嵌合される接床部材と、脚本体を家具本体に固定するための固着具との間に支持部材を介在するものであるため、接床部材に加わる家具本体の荷重は、固着具及び脚本体を介して、接床部材における外周部の係合段部により支持されると同時に、固着具及び支持部材を介して、接床部材における内周部によっても支持される。このように家具本体の荷重を、接床部材の広い範囲で分散して支持することができるため、家具本体の荷重が局部的に集中するのを防止することができ、集中荷重による接床部材の破損を有効に防止でき、耐久性を向上させることができるという効果がある。
【図面の簡単な説明】
【図１】この発明の第１実施形態である家具用脚を示す図であって、同図（ａ）は側面断面図、同図（ｂ）は側面図である。
【図２】第１実施形態である家具用脚を分解して示す斜視図である。
【図３】この発明の他の実施形態を示す図であって、同図（ａ）は第２実施形態である家具用脚を示す側面断面図、同図（ｂ）は第３実施形態である家具用脚を示す側面断面図である。
【図４】この発明の変形例を示す図であって、同図（ａ）は第１変形例の家具用脚を示す側面図、同図（ｂ）は第２変形例の家具用脚を示す側面図である。
【図５】従来の家具用脚を示す側面断面図である。
【図６】従来の家具用脚をその接床部材周辺を拡大して示す断面図である。
【符号の説明】
１０…脚本体
１１…下端開口縁部
１５…閉塞板
２０…固着ボルト（固着具）
３０…接床部材
３１…接地部
３２…嵌合部
３３…係合段部
４１、４２、４３…支持部材
４２ａ…スリーブ（支持部材）
Ｃ…家具本体
Ｆ…床面（設置面）
【図１】
2004154287.tif 000003
【図２】
2004154287.tif 000004
【図３】
2004154287.tif 000005
【図４】
2004154287.tif 000006
【図５】
2004154287.tif 000007
【図６】
2004154287.tif 000008